(57)【要約】【課題】  コンクリート製擬石ブロック集合体付マットにおいて、集合マット全体を軽量にし、集合マットに柔軟性を持たせ、各擬石の目地を目立たなくし、自然の景観に調和するようにする。【課題を解決するための手段】  集合体付マットにに設けた平面が４辺以上の窪みを有する不規則な多角形からなる基本区画を設けて外郭線は４５度及び４５度の倍数の角度の傾きを有する直線からなり、基本区画は密接して全体としてマットを覆う形状とし、予め必要な基本区画を擬石ブロックに識別印を施して表示するか又は擬石ブロックに対応した施工図に表示し、擬石ブロックの上面形状は基盤の形状とは異なった複雑な形状とし、基盤と上面形状とを結ぶ側面の傾斜角度を急斜面である４５度乃至８０度とし、該側面が４５度以下の暖斜面となる場合には側面中間に棚部を設けて棚部以外の側面の傾斜角度を４５度乃至８０度としたコンクリート製擬石ブロック集合体付マット。【選択図】図４
2007231526.tif 000002
【特許請求の範囲】
【請求項１】
コンクリート製擬石ブロックの集合体付マットにおいて、該マットに設けた平面が４辺以上の窪みを有する不規則な多角形からなる基本区画を設け、該基本区画の外郭線は４５度及び４５度の倍数の角度の傾きを有する直線からなり、且つ、該基本区画は他の基本区画と密接して全体としてマットを覆う形状とし、予め必要な基本区画を擬石ブロックに識別印を施して表示するか又は擬石ブロックに対応した施工図に表示し、
各基本区画内にはマット地が露出しないように任意の数、配置、大きさの擬石ブロック基盤を配置し、
擬石ブロックの上面形状は基盤の形状とは異なった曲線を含む任意の複雑な形状とし、
擬石ブロックの基盤と上面形状とを結ぶ側面の傾斜角度を急斜面である４５度乃至８０度とし、該側面が４５度以下の暖斜面となってしまう場合には側面中間に棚部を設けて棚部以外の側面の傾斜角度を急斜面である４５度乃至８０度として、擬石ブロックの外観形状を複雑にしたことを特徴とするコンクリート製擬石ブロック集合体付マット。
【請求項２】
前記基本区画の多角形は、点対称である二種類の多角形であることを特徴とする請求項１又２に記載のコンクリート製擬石ブロック集合体付マット。
【請求項３】
前記マットの施工時にマットを切断し接合する際には、接合するマットの外郭線に合うように、前記予め表示された基本区画の外郭線を探し出して、該外郭線に沿って切断して接合することを特徴とする請求項１又は２に記載のコンクリート製擬石ブロック集合体付マット。
【発明の詳細な説明】
【技術分野】
【０００１】
本発明は、護岸等の自然環境の回復改修施工に使用するコンクリート製擬石ブロック集合体付マットの技術分野に属する。
【背景技術】
【０００２】
近時、自然環境の保存を重視する傾向にあり、護岸等に用いる擬石を配置したコンクリート製ブロックが多用される傾向にある。
そこで、本出願人は、施工表面で天然石模様の擬石の配置状況が不規則に見え、且つ、目地線も一直線的でなく不規則線を呈し施工面を流れる雨水などによって目地の土砂が流失しないように構成され草や小灌木が育生し自然破壊が最小限にとどまるように工夫したコンクリート製擬石ブロックを提供している（特許文献１）。また、天然石模様のコンクリート製擬石ブロックの護岸での施工を簡単にするために、擬石ブロックを小型にし、かつ、施工面における擬石の配置状況が不規則に見えるようにし、目地線も直線的でなく不規則線を呈し擬石ブロック表面を流れる雨水などによって目地の土砂が流失しないように工夫したコンクリート製擬石ブロック集合体付のマットを提案している（特許文献２）。
【発明の開示】
【発明が解決しようとする課題】
【０００３】
しかしながら、上記特許文献１や特許文献２に開示されているような擬石ブロックは、ブロック基板自体がおおよそ菱形でありブロック基板上の擬石に配置が制限され、決まりきった模様となってしまい、ブロックを敷き詰める場合の景観を自然に近づけることが困難であった。
また、ブロック相互の接合線が複雑になり現場で手でブロックを並べるのに手間取り、特に、特許文献２に示されるように、ブロックを小型にしてコンクリート製擬石ブロック集合体付マットとした場合の接合には、接合線が１cmでもずれると境目が目立ってしまい、ブロック集合体付マットとブロック集合体付マットのブロック集合体の接合面が複雑になると、一々、接合を手作業で確認しつつ行わなければならず、作業にてまどり作用効率からも問題点であった。
先行技術の特許文献３は、接合区画が単純となり、全体として接合線が目立つという問題点があった。また、ブロックがコンクリート製のため集合すると大きな重量となり、運搬や施工が厄介であり、擬石ブロック自体が大型であると折り曲げることが出来ないので、集合マットの取り扱いも厄介であるといった問題点があった。
特に、集合マット全体をより軽量にするために、擬石ブロックを従来よりも薄く（４cm程度）するとなると、擬石ブロックの外郭線や目地が擬石ブロックの表面に近くなり、より目立つことになるといった問題点があった。
【特許文献１】特許第２８８１６４２号公報
【特許文献２】特開２００４−２５５７６５号明細書
【特許文献３】特願２００５−５１８３８５号明細書
【０００４】
本発明は、上記の問題点に鑑みてなされたもので、その課題は、コンクリート製擬石ブロック集合体付マットにおいて、集合マット全体をより軽量にし、且つ、集合マットの全体により柔軟性を持たせ、１基本区画が４角形以上で窪みを有する多角形にして、自然の景観に調和するような不規則線とし、擬石ブロックの上面形状を複雑にして自然に調和するようにして擬石の境目を目立たなくし、ブロックを集合した際の集合体相互の接合作業が容易となるコンクリート製擬石ブロックの集合体付マットを提供することにある。
【課題を解決するための手段】
【０００５】
上記の課題を解決するために、請求項１の発明は、コンクリート製擬石ブロックの集合体付マットにおいて、該マットに設けた平面が４辺以上の窪みを有する不規則な多角形からなる基本区画を設け、該基本区画の外郭線は４５度及び４５度の倍数の角度の傾きを有する直線からなり、且つ、該基本区画は他の基本区画と密接して全体としてマットを覆う形状とし、予め必要な基本区画を擬石ブロックに識別印を施して表示するか又は擬石ブロックに対応した施工図に表示し、各基本区画内にはマット地が露出しないように任意の数、配置、大きさの擬石ブロック基盤を配置し、擬石ブロックの上面形状は基盤の形状とは異なった曲線を含む任意の複雑な形状とし、擬石ブロックの基盤と上面形状とを結ぶ側面の傾斜角度を急斜面である４５度乃至８０度とし、該側面が４５度以下の暖斜面となってしまう場合には側面中間に棚部を設けて棚部以外の側面の傾斜角度を急斜面である４５度乃至８０度として、擬石ブロックの外観形状を複雑にしたことを特徴とするコンクリート製擬石ブロック集合体付マットである。
請求項２の発明は、前記基本区画の多角形は、点対称である二種類の多角形であることを特徴とする請求項１又２に記載のコンクリート製擬石ブロック集合体付マットである。
請求項３の発明は、前記マットの施工時にマットを切断し接合する際には、接合するマットの外郭線に合うように、前記予め表示された基本区画の外郭線を探し出して、該外郭線に沿って切断して接合することを特徴とする請求項１又は２に記載のコンクリート製擬石ブロック集合体付マットである。
【発明の効果】
【０００６】
本発明によれば、コンクリート製擬石ブロックの集合体付マットにおいて、マット上の基本区画内ではマット地が露出しないように任意の数、配置、大きさの擬石ブロック基盤を配置し、擬石ブロックの上面形状は基盤の形状とは異なった曲線を含む任意の複雑な形状としたので、外観が複雑となって、擬石ブロックが薄くなっても基盤相互の境界線（目地）が全体として余り目立つことがなく、自然の景観に調和するような模様にでき、更に、擬石ブロックを細かく分割でき接合溝ではマットを若干曲げることが可能となるのでマット全体での柔軟性が向上し、マットの運搬や施工が容易となる。
また、擬石の基本区画自体も４辺以上の複雑な多角形としたので、基本区画自体も複雑となって自然の景観に調和するようになる。
更に、この集合体マットを複数枚を接合する際には、予め必要な基本区画を擬石ブロックに識別印を施された表示、又は擬石ブロックに対応した施工図の表示に沿って切断すれば、現場での施工も容易となる。加うるに、接合面を主に４５度、１３５度、平坦平面に構成できるので、斜面がガイドとなり、簡単に接合面を一致させ接合し易い。
【発明を実施するための最良の形態】
【０００７】
本発明のコンクリート製擬石ブロックの集合体付マットの好適な実施例を図面に沿って説明する。
［マット］
図４乃至図６に示すように、本実施例のマット１は、擬石ブロック２の底面に接する上面が、セメントなどのアルカリの化学反応に強いポリプロピレン繊維を配し、下面は強度のあるポリエステル繊維を配した複合素材の不織布で、さらに下面にはポリエステルのフィラメントを補強の為に混入したもので、マット１全体の厚さは３mm以上であり、図１１に示すように、マットを湖や河川等に施工する際にはクレーン８でマット１ごと吊り上げたりするので、マット１の強度もコンクリート製擬石ブロック２の全体の重量に耐えるものでなければならず、縦方向の引張強度は２．９４Kgf／５cmであり、引張伸度は１５％以下であり、透水性は１×１０−2cm／secの物性値のものを使用し、下面はポリエステル繊維が配されるが、この面は製造過程において表面側になり、マット製品として、施工の護岸においては裏面側となって護岸に接する面となる。
【０００８】
［基本区画］
このマット１の擬石ブロック２の底面２６に接するマット上面となる平面上には、４辺以上の窪みを有する不規則な多角形からなる基本区画３を設け、この基本区画の外郭線は４５度及び４５度の倍数の角度の傾きを有する直線からなり、且つ、該基本区画３は他の基本区画（図４．３’、３’’、４、４’・・）と密接して全体としてマット１を覆おう形状とする。
このマット１の平面上の基本となる基本区画３を、先ず、図１（ａ）で説明すると、第１の基本区画３は全体として横長の符号ａからｑを頂点とする１６辺からなる不規則な多角形で、図１（ａ）に示すように、第１辺［ａｂ］は矩形マット１の縦枠線１１とは平行で０度の直線、第２辺［ｂｃ］は第１辺に対して４５度の傾斜直線、第３辺［ｃｄ］は矩形マット１の縦枠線１１とは直角の９０度の直線（矩形マット１の横枠線１２とは平行）、第４辺［ｄｅ］は第１辺に対して１３５度の傾斜直線、第５辺［ｅｆ］は縦枠線１１とは平行で０度の直線、第６辺［ｆｇ］は同様に１３５度の傾斜直線、第７辺［ｇｈ］は縦枠線１１とは平行で０度の直線、第８辺［ｈｉ］は同様に１３５度の傾斜直線、第９辺［ｉｊ］は縦枠線１１とは平行で０度の直線、第１０辺［ｊｋ］は縦枠線１１とは直角の９０度の直線、第１１辺［ｋｌ］は同様に１３５度の傾斜直線、第１２辺［ｌｍ］は縦枠線１１とは直角の９０度の直線、第１３辺［ｍｎ］は縦枠線１１とは平行で０度の直線、第１４辺［ｎｐ］は同様に１３５度の傾斜直線、第１５辺［ｐｑ］は縦枠線１１とは平行で０度の直線、第１６辺［ｑａ］は同様に１３５度の傾斜直線である。
ここで、水平の第１辺［ａｂ］と第１３辺［ｎｍ］の長さを等しく、同様に第５辺［ｅｆ］と第７辺［ｉｊ］、直角の第３辺［ｃｄ］と第１２辺［ｌｍ］、斜行の第６辺［ｆｇ］と第８辺［ｈｉ］、第１４辺［ｎｐ］と第１６辺［ｑａ］、第４辺［ｄｅ］と第１１辺［ｋｌ］の長さを等しくしておく。
【０００９】
そして、第２の基本区画４は、第１の基本区画３とは、図１中でx0を定点として点対称として作図すると、図１（ｂ）に示すような図形が得られ、この第２の基本区画４は、第１の基本区画３の頂点ａからｑに、x0を定点として頂点ａ'〜ｑ’を有し、順序が第１の基本区画３と逆となるだけで、その他は同じである。
第１の基本区画と第２の基本区画とが点対称、即ち、第１の基本区画を裏返した形状が第２の基本区画となることから、これらを合体した図２に示すように、第１の基本区画３の下側の第５辺［ｅｆ］に第２の基本区画４の第９辺［ｉ'ｊ'］が密接し、同様に基本区画３の下側の第７辺［ｉｊ］に基本区画４の第５辺［ｅ'ｆ'］が、基本区画３の第６辺［ｆｇ］に基本区画４の第８辺［ｈ'ｉ'］が、基本区画３の第８辺［ｈｉ］に基本区画４の第６辺［ｆ'ｇ'］が密接するようになる。
同様に、第２の基本区画４の下側の第１３辺［ｍ'ｎ'］に、次の第１の基本区画３’の第１辺［ａｂ］が密接し、図４、図５に示すように、上下方向に隙間がなくマット１の地が露出しないように敷き詰められる。
また、左右方向にも、第１の基本区画の第１２辺［ｌｍ］に、次の第１の基本区画３’’の第３辺［ｃｄ］が、第１１辺［ｋｌ］に次の基本区画３’’の第４辺［ｄｅ］が、第１０辺［ｊｋ］に次の基本区画４’’第１０辺［ｊ'ｋ'］が密接し、左右方向に隙間がなくマット１の地が露出しないように敷き詰められる。
【００１０】
この上下及び左右方向に、第１の基本区画３（３’３’’・・・）と第２の基本区画４（４’４’’・・・）を組み合わせことによって、図４に示すように、両基本区画３，４がマット１上に敷き詰められた状態となる。このように、両基本区画３，４は、４辺以上である１６辺で、第５辺［ｅｆ］と第６辺との外郭線のように斜面を有する窪み部（図４：２Ａ）と台形凸部（図４：２Ｂ）を有する不規則な多角形からなり、基本区画の全体外郭線も矩形マット１の縁の縦枠線１１又は横枠線１２と平行か直角の直線を含む４５度及び４５度の倍数（１３５度）の角度の傾きを有する直線からなり、対応して接合する辺の長さを等しくして、両基本区画３，４を点対称の形状、すなわち、お互いに裏返した状態で一致した形状にしておけば、二つの基本区画３，４を敷き詰める際に、マット１の地が外に露出しないように並べることができる。
なお、マット１に擬石ブロック２を敷き詰める際には、二つの基本区画３，４に対応する予め複数の擬石ブロック２を制作し、この二つの基本区画３，４ごとの擬石ブロックを裏返して並べて、公知の固定手段、すなわち、接着材を擬石ブロック２の裏側に塗布してマットに固定する。
【００１１】
［基本区画と擬石ブロック］
次に、二つの基本区画３，４に配置する擬石ブロック２について説明するが、まず、従来の擬石ブロックは必ず基盤部を設け該基盤部上に擬石を配置していたが、コンクリート製擬石ブロックの集合体付マットでは、擬石ブロック２を大量に集合するマット１であることから重量も大きくなるので、本発明では、従来の基盤部を廃止して直接擬石部だけとし、擬石ブロック２の全体を薄くしている。
基本区画と擬石ブロックの関係は、基本的には、二つの基本区画３，４の区画内に配置するのであれば、任意の数、配置、大きさ、高さの擬石ブロックであっても、マット１の切断や接合に支障を来すことはない。
また、基本区画３，４を一個の擬石ブロックとすることも可能であるが、大きすぎて折り曲げる箇所がないのでマット１の柔軟性が損なわれ、また、区画の外郭線が２種類だけなので全体として規則性が表れ、自然の景観に調和しなくなることもあるので、基本区画３，４内の擬石ブロック２は、数個の擬石ブロック２に分割する必要がある。なお、擬石ブロック２の境界線の目地部は斜面がマット１にまで達して、分割可能となっているが、この目地部は５〜６mmの間隔が雨水等の排水溝となっており、より自然の状態に近くしている。更に、擬石ブロック２がコンクリート製であることから、更に、擬石ブロック２を複数擬石型枠６１（後述）で一括制作することから、目地部の間隔５はどうしても５〜６mm程度が必要となる。
しかし、単に、基本区画３，４内の同じ形が擬石ブロックの上面形状とした場合には、基本区画３，４の外郭線が目立ってしまい不自然となる。そこで、本発明の実施例は、基本区画３，４の外郭線や基本区画３，４内の数個の擬石ブロック２の擬石ブロック基盤２aの外郭線（目地）が目立たないように、即ち外郭線や目地が外殻線擬石ブロック２の上面２ｂの形状と同じにならないように、また、側面斜面が緩やかでも外郭線（目地）が目立つので、斜面の傾斜を急勾配（45℃以下）にしたものであり、このことを、図２及び図３を参照して説明する。
【００１２】
図１における基本区画３と基本区画４は、図２における上半分の基本区画３と基本区画４と同じであるが、図２での擬石ブロック２１乃至２５の基盤２ａの形、配置、大きさ等は図１の複数の擬石ブロック２の基盤２ａや上面形状２ｂとは異なっており（数はたまたま同じ）、前述したように、例えば、基本区画３内の擬石ブロック２の形や配置等は任意であり、複数の擬石ブロック２の基盤２ａや上面形状２ｂは、それぞれの形、大きさ、配置、（数）等は異なっているが、ここでは、図２と基本区画３内での擬石ブロック２について説明する。
図２の基本区画３内には、比較的大型の擬石ブロック２１，２２、中型の擬石ブロック２３、小型の擬石ブロック２４，２５が配置されている。この擬石ブロックの基盤２ａの外郭は、なるべく相互の間隔が５mm程度で接するような形状で、外郭は直線からなる幾何学模様にするが、これは、コンクリート製擬石ブロック集合体付マットの運搬時や施工時において、図１１に示すように、擬石ブロック基盤２ａの縁の外郭がマット１の弯曲に伴い擦れ合うことから、複雑な曲線では壊れやすく、直線の組み合わせの方が強度が保てるからである。また、擬石ブロック２の基盤２ａの外郭形状を直線からなる幾何学模様とする他の利点としては基本区画３，４内での型枠の設計や脱形が簡単となる。
本発明の特徴の１つは、基本区画３，４が直線の組み合わせであり、擬石ブロック２の基盤２ａの外郭線も直線の幾何学形状であっても、基本区画３，４の擬石ブロック２の上面２ｂは、基本区画３、４や基盤２ａの形状とは異なった曲線を含む任意の複雑な形状とし、擬石ブロック２の基盤２ａと上面２ｂと縁を結ぶ側面２ｃの傾斜角度（平均斜度）を急斜面である４５度乃至８０度とし、該側面２ｃが４５度以下の暖斜面となってしまう場合には、従来の基盤部がないことから、側面中間に棚部２ｄを設けて棚部２ｄ以外の側面２ｃの傾斜角度を急斜面である４５度乃至８０度として、間隔５を奥まった位置にして目立たせない外観形状にしたものである。
すなわち、複雑な上面形状２ｂと、基本区画３、４や基盤２ａの形状とを異ならせるために、必然的に擬石ブロック２の基盤２aと上面２ｃの縁とを結ぶ側面２ｃの傾斜角度は多様になるが、緩い斜面については棚部２ｄを設けることにより、全ての斜面の傾斜を４５度乃至８０度する必要がある。これは、傾斜角度が８０度以上だと擬石ブロック２の型枠６からの脱形が困難となるばかりでなく、擬石ブロック２相互の目地が雨水の排水溝として機能しずらくなるからであり、４５度以下の暖斜面となると基本区画３、４や基盤２ａの外郭線（目地）が擬石ブロック２の表面近くに位置することになり目立ってしまい、自然に調和しなくなるからである。
なお、図１の基本区画４と図２下半分の基本区画４とは同じであり、この基本区画４内での擬石ブロック２についても、基本区画３内の擬石ブロックと技術的には同じ意味合いであるので省略する。
【００１３】
ここで、前述の側面２ｃの傾斜角度及び斜面中間の棚部２ｄについて説明する。
図２の上半分の基本区画３において、Ａ−Ａ線での断面図が図３（ａ）であり、Ｂ−Ｂの断面図が図３（ｂ）であり、Ｃ−Ｃの断面図が図３（ｃ）である。
ところで、本実施例のコンクリート製擬石ブロック集合体付マットは、集合マットであることから、出来るだけ個々の擬石ブロックを薄くして、マット全体の軽量化を図ったもので、従来での擬石ブロックの基盤部を無くして、擬石ブロック２の高さを３〜５cm程度にしたもので、この低くなったために、擬石ブロックの外郭線（目地）が従来よりも目立つようになったために、本発明に想到したのであるが、基本区画３，４の外周擬石ブロック２や基本区画３，４内の数個の擬石ブロック２の相互の間隔５は、コンクリート製の擬石ブロック２の制作上の制約から６mm程度が必要となるが、間隔５が余り不均等であると擬石ブロック２をマット１に整列する際に固定がしづらいからである。なお、擬石ブロック２は軽量化の為には、なるべく薄くしたほうが良いが、３cm以下にすると擬石ブロック２表面には凸凹があることから割れやすく強度がなくなり、５cm以上にすると、コンクリート製擬石ブロック集合体付マット全体としてもかなり重くなるので、上記のように擬石ブロック２の高さは好ましくは３〜５cm程度でよく、さらに好ましくは４cm程度である。
【００１４】
まず、図３（ａ）に示すように、大型擬石ブロック２１の右側部分は、マット１に接した基盤２ａから上面２ｂの縁に亘っての側面２ｃは、ほぼ平均角度７５度程度で直線的な急斜面（側面）２ｃを形成し、対する大型擬石ブロック２２の左側部分も基盤２ａから上面２ｂに亘ってほぼ平均角度７５度程度で直線的な急斜面（側面）２ｃを形成している。この場合は両ブロックの間隔５は急斜面の奥まった位置にあり、目地自体は余り目立たない。
次に、図３（ｂ）に示すように、対向する斜面の一方が傾斜角度がやや緩やかな斜面である場合、大型擬石ブロック２１の右側部分は、基盤２ａから上面２ｂの縁に亘ってほぼ平均角度７２度程度で直線的な急斜面２ｃ形成し、対する小型擬石ブロック２４の左側部分は基盤２aの縁から緩斜面でほぼ平均角度５０度程度で直線的な斜面（側面）２ｃを形成するが、図に示すように、角度５０程度（４５度以上）の急斜面では、擬石ブロック２の高さが４cm程度の低さでも間隔（目地）５は余り目立つことがない。
【００１５】
更に、図３（c）に示すように、擬石ブロック２の上面２ｂの縁と基盤２ａの縁とを直接結ぶ傾斜２ｃ’（破線部）が４５度以下の暖斜面になってしまうと、本実施例の擬石ブロックが４cm程度と低いことから、５mm程度の間隔（目地）でも擬石ブロックの表面の近くとなり、この間隔５が目立ってしまう。
そこで、間隔（目地）の近傍での側面を急傾斜（平均７０度、５５度）にして、間隔５を奥に位置させ外部からは目立たないようにして、斜面中間に棚部２ｄ、即ち途中に平坦部を設けて、基盤２ａの縁から平面上では離れた位置の上面形状２ｂの縁に再び急斜面を形成する。
そこで説明すると、大型擬石ブロック２２の右側部分は、底面２ａからほぼ中間の高さに水平で平坦な中間棚部２ｄを設け、基盤２ａの縁から中間棚部２ｄの縁に亘ってほぼ平均角度７０度程度で直線的な斜面２ｃを形成し、更に中間棚部２ｄの奥まった斜面立ち上がり部から、上面形状２ｂの縁に亘ってほぼ平均角度６５度程度で直線的な斜面２ｃを形成し、対する小型擬石ブロック２５の左側部分も基盤２ａから中間高さでの中間棚部２ｄの縁に亘ってほぼ角度５５度程度で直線的な急斜面２ｃを形成し、更に中間棚部２ｄから上面２ｂに亘ってほぼ角度６２度程度で直線的な急斜面（側面）２ｃ形成している。
このような斜面の構成により、擬石ブロック２の高さが４cm程度の低さでも間隔５が余り目立つことがない。
【００１６】
前述したような本実施例の擬石ブロック（型枠等）の制作工程は、図２の基本区画３での擬石ブロックの設定について、順を追って説明する。
（1）まず、基本区画３内に所望の擬石ブロック２（２１〜２５）、ここでは５擬石ブロック２の基盤２ａの形状をほぼ直線で区分けする。
（2）次に、各基盤２ａ内において、任意の複雑な擬石ブロック２の上面２ｂの形状を決定する。この際、擬石ブロック２の表面や上面２ｂ形状も自然石に近くなるように曲線を多用して、なるべく自然に調和するように設計する。
（3）前記（2）での擬石ブロックの上面形状は基盤の形状とは、殆ど、異なっ複雑な形状となるが、擬石ブロック２の基盤２ａの外郭線と上面２ｂの形状の縁とを結ぶ側面を設計していくが、傾斜角度を４５度乃至８０度の範囲で形成し、これに収まらないようであれば、図３（ｃ）で説明したように、側面２ｃの中間に棚部２ｄを設けて、棚部２ｄ以外の側面の傾斜角度を４５乃至８０度の範囲で形成する。
この際、全体として余りに不自然な形状になるのであれば、擬石ブロック２の基盤２ａの区画形状、或いは、上面２ｂの形状を変更すればよい。
（4）以下、同様の作業を繰り返し、複雑で多用な斜面を形成して、より自然に調和した擬石ブロック２の集合体を形成していけばよい。
なお、この斜面の角度の設定は、基本区画３，４の外郭の擬石ブロックの斜面の形成も同じように形成する必要がある。
このように、各擬石ブロックの側面の傾斜を設定してすれば、基本区画の外郭、その区画内の擬石ブロックの境目の外郭線が目立つことがなく、目地も複雑となって、全体としても自然の景観に調和するようになる。
【００１７】
［マットの接合］
図４にはコンクリート製擬石ブロックの集合体付マット１の角部を示し、この全体を図５に示すが、マット1の両端部１a，１bが露出し、図１１に示すように、この両端部１a，１bをクレーン等の運搬装置８の把持具81で把持して吊り下げて移動する。
ここで、集合体付マット１の擬石ブロック２の接合部分の端部の外郭線２Ｘ，２Ｙは、図４に示されるように、図４での横（２Ｘ）方向、及び、縦（２Ｙ）方向で全て４５度か１３５度の傾斜面と平坦面からなるので、この互いの斜面の角度が水平線（垂直線）に対して４５度及び１３５度をなし、且つ、斜面を有する窪み部（２Ａ）と対向する台形凸部（２Ｂ）を有しているから、図面左右側又は図面上下側からマット１の擬石ブロック２を配置した基本区画３，４での接合部（２Ｘ，２Ｙ）がクレーン８で吊り下げられて移動し接近しても、この斜面窪み部（２Ａ）がガイドとなって、スムースに所定の箇所に案内され、図６に示されるように、既に，護岸Ｆ等に敷かれたマット１（Ａ）の横方向のマット重ね部１cの端部の外郭線２Ｙに、次の接合するマット１Ｂ（1C，1D）の外郭縁（擬石ブロック２）１dの外郭線２Ｙが合致し、施工後は他の擬石ブロック集合面と区別がつかない程度になる。
以上、接合する場合を説明したが、縦横方向ともに長すぎてマットを切断する場合には、逆に、上述したジグザグ状の基本区画３，４の擬石ブロックの排水溝を兼ねた間隔（外郭線）５で切断すれば、この部分は繊維の不織布だけであるので簡単に切断できる。
この場合には、予め必要な基本区画を擬石ブロックに識別印を施して表示するか又は基本区画が擬石ブロックの配列とともに表示された施工図を作成しておき、この表示された基本区画３，４の間隔５（外郭線、目地部）に沿って切断すれば、例えば、図５、図６の外郭線１ｄが得られる。
【００１８】
本実施例におけるコンクリート製擬石ブロック集合体付マット１の製造法は、図７に示されるように、マット１に搭載される複数の基本区画３，４の擬石ブロック２の数だけの型枠６１を一括して設け、複数の擬石ブロック２の型枠６１の集合体の周りには大きな外枠６２を設けたブロック集合体型枠６により製造する。外枠６２はＦＲＰ樹脂で、内側の擬石を形成する擬石型枠６１はポリウレタン樹脂で型枠６にセメントを打設して、１枚のマットに対応する複数のコンクリート製擬石ブロックを一度に一括して作成している。
勿論、擬石ブロック２を１つ１つ作成してもかまわないが、図７に示すように、この型枠６の各擬石の型枠６１にコンクリートを打設し、型どられた擬石ブロック２の底部の表面が上向きに露出しており、コンクリートが固まった時点で接着材料７をモルタルガン７１で擬石ブロック２の基盤２aの底部に散布して、図９に示すように、厚さ３〜６mm程度の不織布のマット１を、型枠６の上面に押し当てながら敷き詰め、図１０に示したように、擬石ブロック２とマット１の全面に接着材料７が塗布され、接着し固定されることになり、接着剤の硬化を早めるために熱い蒸気を噴霧する蒸気養生を行い、硬化終了した時点で、擬石ブロック２とマット１が一体になったコンクリート製擬石ブロック付きマットを型枠６から脱型すれば、一気にコンクリート製擬石ブロック集合体付マット１が出来あがる。
【００１９】
なお、本実施例のマット１で使用する接着材料７は、強度や環境対策から次の組成が有効であった。
１．砂                                    ２０〜２７重量％
２．大粒の石（直径４〜５cm）              １５〜２２重量％
３．セメント                              ３５〜４７重量％
４．アクリル水性接着剤（エポキシ以外の接着剤）２〜６重量％
５．塩化カルシューム（セメント硬化促進剤）    ２〜６重量％
６．水                                          適量
上記の組成において、（１）直径２〜５cm程度、好ましくは、直径４〜５cm程度の大粒の石を混入させることで、大粒の石はマット１の中に潜り、マット１と擬石ブロック２とに楔のように作用し、砂とセメントと接着剤のときよりも格段と接着性能が向上した。これは、砂とセメントと接着剤では、表面だけを強化しているので、引張った時に本体をむしり取って剥離するものと考えられ、表面の剥離が防げられ、石の直径が２cm以下だと接合強度の向上に余り効果がなく、好ましくは４cm以上がより効果的であり、逆に、５cm以上だと接着層の厚さが大きくなりすぎ全体が重くなるばかりか、接着材料も多量に必要になるので不経済であり、５cm以下がよい。また、（２）従来使用していたエポキシ接着剤は環境に悪影響があるので、アクリル水性接着剤を使用したが、これにより蒸気を噴霧してセメントの硬化を早める蒸気養生が可能となり、特に、寒冷地での作業の効率向上に寄与するものである。更に、（３）セメント硬化促進剤（塩化カルシューム）を混入したことで、早期に接着が完了し、製品の脱型時期を早めることができる。
【００２０】
接着材料７をモルタルガン７１で型枠６（接着材料７は型枠６１からは脱離可能である。）と擬石ブロック２の底部に一括して散布するが、散布方法はマットとの関係から、図１０に示すように、接着材料７は擬石ブロックの底面をカバーするように、マット１の全面に散布する。
本実施例では、マット１の全面Ｇに散布するが、使用する接着材がアクリル水性接着剤（エポキシ以外の接着剤）であり、マット１に擬石ブロック２を固定した後に、マット１の両端のマット把持部１ａ，１ｂをクレーンで把持して（必要ならば、前掲特開2004−255765号公報参照）で運搬、移動、施工を行い、マット１は必ず円弧状に曲げられるので、固化した接着剤に適当に亀裂が生じる。
この亀裂は、水が移動し植物が生育するために接着材料７が存在しない部分を作ることになるが、接着材の塗布量は余り厚くする必要はなく、むしろ、上下に貫通する亀裂が生じる程度の厚さ以下が好ましい。
このように、亀裂が生じる接着材料７を散布するのは、完全に植物を生育させないためではなく、むしろ、亀裂を生じさせてその部分で水の移動を可能とし、客土も堆積し植物の根も入り込むことが可能となって、植物が生育するためではあるが、余り雑草が生えるのも好ましくない場合があり、この場合には、このマット１と接着材料７とにより、多少雑草を生え難くしている。
【００２１】
以上のように、本実施例の擬石ブロック集合体付マット１は、従来のコンクリート製ブロック集合体付マットと比べて、基本区画３，４内では擬石の配置の自由としたことで、擬石ブロック相互の境界線を複雑な接合溝とすることができ、その接合溝の幅もほぼ同じにしたので、全体として格別目立つことがなく、自然の景観に調和するような模様にでき、更に、擬石ブロックを細かく分割でき接合溝ではマットを若干曲げることが可能となるのでマット全体での柔軟性が向上し、マットの運搬や施工が容易となる。
また、擬石の基本区画自体も４辺以上の１６辺と複雑な多角形としたので、基本区画自体も複雑となって自然の景観に調和するようになり、客土の流失が阻止でき、かつ、接合作業が容易であり、隣り合うマットがずれても目立つことがなく、上面が平らで自然石模様であるので、スリップ止めになり作業員や完成後に人が水辺を歩くにも適し、かつ、安価に製造できる。
更に、この集合体マット１を複数枚を接合する際には、予め必要な基本区画を擬石ブロックに識別印を施された表示、又は擬石ブロックに対応した基本区画の線を施工図に表示に沿って切断すれば、現場での施工も容易となる。加うるに、接合面を主に４５度、１３５度、平坦平面で窪みを有する多角形としたので、窪みと傾斜側面がガイドとなり、簡単に接合面を一致させることができ、また、接合作業が容易で不規則な多角形であるので隣り合うマットがずれても目立つことがなく、上面が平らで自然石模様であるので、スリップ止めになり作業員や完成後に人が水辺を歩くにも適し、かつ、安価に製造できる。
なお、本発明の特徴を損なうものでなければ、前述した実施例に限定しないことは勿論である。
【図面の簡単な説明】
【００２２】
【図１】図１（a）は、本発明の第１の基本区画３の形状と擬石ブロックの配列を説明する平面図であり、図１（b）は第２の基本区画４の平面である。
【図２】図１の二種類の基本区画３，４を組み合わせ、第１の基本区画３での擬石ブロックを説明する平面図である。
【図３】図３（a）は図２でＡ−Ａ線での断面図、図３（ｂ）は図２でＢ−Ｂ線での断面図、図３（ｃ）は図２でＣ−Ｃ線での断面図である。
【図４】本発明のコンクリート製擬石ブロックの集合体付マットの角部のの拡大平面図である。
【図５】図４の本発明の実施例のコンクリート製擬石ブロック集合体付マットの全体の斜視図である。
【図６】実施例のコンクリート製擬石ブロック集合体付マットの複数枚を護岸に施工した状態の斜視図である。
【図７】実施例の擬石コンクリート製ブロックの製造工程の枠体を説明する説明図である。
【図８】実施例の擬石コンクリート製ブロック付きマットの製造工程を説明する説明図である。
【図９】実施例のマットと擬石ブロックとの製造工程で接着過程を説明する説明図である。
【図１０】本実施例のマットと擬石ブロックの接合状態を示す透視説明図である。
【図１１】本実施例のコンクリート製擬石ブロック集合体付マットの運搬・施工装置の斜視図である。
【符号の説明】
【００２３】
ab，bc，cd，de，ef，fg，gh，hi，ij，jk，kl，lm，mn，np，pq，qa
…第１の基本区画３の辺、
a'b'，b'c'，・・・・q'a'…第２の基本区画４の辺、
x0…点対称の定点，Ｆ…護岸、Ｇ…接着剤散布部分、
１（１A，1B，1C，1D）…マット、１１…マット縁の縦枠線、
１２…マット縁の横枠線、１a，１b…  マット把持部、１c…マット重ね部、
１d…マット（擬石ブロック）の外郭縁、
２（21，22，23，24）…擬石ブロック（大型、中型、小型）、
２ａ…擬石ブロック基盤，２ｂ…上面，２ｃ…側面（斜面）、
２ｄ…中間棚部、
３…第１の基本区画、
４…第２の基本区画、
５…間隔（目地部）、５１…底部隙間
６…型枠、６１…擬石型枠、６２…外枠、
７…接着材料、７１…モルタルガン、
８…クレーン(運搬装置)、８１…把持具
【図１】
2007231526.tif 000003
【図２】
2007231526.tif 000004
【図３】
2007231526.tif 000005
【図４】
2007231526.tif 000006
【図５】
2007231526.tif 000007
【図６】
2007231526.tif 000008
【図７】
2007231526.tif 000009
【図８】
2007231526.tif 000010
【図９】
2007231526.tif 000011
【図１０】
2007231526.tif 000012
【図１１】
2007231526.tif 000013